(57)【特許請求の範囲】
【請求項１】
３以上の発光点を有した光源と、前記発光点から放射された光ビームを略平行光又は収束光のいずれかに整形する集光レンズと、光軸を軸にして前記光源を回動させる手段とを備え、前記発光点から放射された各光ビームが、前記集光レンズの出射面の光軸を略中心とする所定の円周上の位置から出射されると共に、前記集光レンズから出射した各光ビームの収差が略等しい光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする光ビーム走査光学装置。
【請求項２】
３以上の発光点を有した光源と、前記発光点から放射された光ビームを略平行光又は収束光のいずれかに整形する集光レンズと、光軸を軸にして前記光源を回動させる手段とを備え、前記発光点から放射された各光ビームが、前記集光レンズの出射面の光軸を略中心とする所定の円周上の位置から出射されると共に、前記集光レンズから出射した各光ビームが光軸に対して略等しい出射角度を有している光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする光ビーム走査光学装置。
【請求項３】
３以上の発光点を有し、この発光点が所定の半径を有する円周上に配置されている光源と、前記光源の発光点の中心を通る直線に対して略軸対称形状を有し、前記発光点から放射された光ビームを略平行光又は収束光のいずれかに整形する集光レンズと、光軸を軸にして前記光源を回動させる手段とを備えた光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする光ビーム走査光学装置。
【請求項４】
前記光源の発光点が、円周上に等間隔で配置されていることを特徴とする請求項３記載の光ビーム走査光学装置。
【請求項５】
前記光源装置から出射された複数の光ビームが、副走査方向に整数比の間隔で前記被走査面上に同時に走査されることを特徴とする請求項１ないし請求項３のいずれかに記載の光ビーム走査光学装置。
【発明の詳細な説明】
【０００１】
【発明の属する技術分野】
本発明は、光ビーム走査光学装置、詳しくはレーザプリンタやデジタル複写機の画像書込み手段として用いられる光ビーム走査光学装置に関する。
【０００２】
【従来の技術】
光ビーム走査光学装置として、複数本の光ビームを同時に被走査面上の異なる位置で集光させ、一回の走査で複数ラインを同時に書き込むものが知られている。そして、この種の装置の光源装置として、従来より、発光点が一列に並んだものが採用されていた。
【０００３】
【発明が解決しようとする課題】
しかしながら、従来の光源装置にあっては、発光点の数が３以上の場合、それぞれの発光点から光軸までの距離が異なっており、各発光点から放射された光ビームを略平行光又は収束光のいずれかに整形する集光レンズに対して、各発光点の位置が光学的に等価ではなかった。従って、中央に配置された発光点（略光軸上の発光点）から放射された光ビームと比較して、両側に配置された発光点（光軸から離れた発光点）から放射された光ビームの収差発生量が大きい等、光ビーム間の集光状態がばらつき、画像の均一性を損なうという問題があった。
【０００４】
また、発光点の数が３以上になると、各発光点相互の位置関係も等価でなくなり、両側に配置された発光点と比較して中央に配置された発光点の温度上昇が大きく、光ビーム間の光量にばらつきが生じるという問題もあった。
【０００５】
そこで、本発明の目的は、画像の均一性の高い光ビーム走査光学装置を提供することにある。
【０００６】
【課題を解決するための手段と作用】
以上の目的を達成するため、第１の発明に係る光ビーム走査光学装置は、
３以上の発光点を有した光源と、発光点から放射された光ビームを略平行光又は収束光のいずれかに整形する集光レンズと、光軸を軸にして光源を回動させる手段とを備え、発光点から放射された各光ビームが、集光レンズの出射面の光軸を略中心とする所定の円周上の位置から出射されると共に、前記集光レンズから出射した各光ビームの収差が略等しい光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする。
【０００７】
また、第２の発明に係る光ビーム走査光学装置は、
３以上の発光点を有した光源と、発光点から放射された光ビームを略平行光又は収束光のいずれかに整形する集光レンズと、光軸を軸にして光源を回動させる手段とを備え、発光点から放射された各光ビームが、集光レンズの出射面の光軸を略中心とする所定の円周上の位置から出射されると共に、前記集光レンズから出射した各光ビームが光軸に対して略等しい出射角度を有している光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする。
【０００８】
また、第３の発明に係る光ビーム走査光学装置は、
３以上の発光点を有し、この発光点が所定の半径を有する円周上に配置されている光源と、前記光源の発光点の中心を通る直線に対して略軸対称形状を有し、前記発光点から放射された光ビームを略平行光又は収束光のいずれかに整形する集光レンズと、光軸を軸にして前記光源を回動させる手段とを備えた光源装置と、
前記光源装置から出射された光ビームを偏向走査する偏向器と、
前記偏向器から出射した光ビームを被走査面上にライン状に走査させる走査光学素子と、
前記光源を回動させる手段による光源の回動に合わせて、前記発光点へ伝送する画像データの副走査方向における順番を並べ替える手段と、
を備えたことを特徴とする。ここに、略平行光は、若干発散する光をも含む。
【０００９】
以上の構成により、集光レンズに対して各発光点の位置が光学的に等価になり、光ビーム間の集光状態がばらつきにくくなる。さらに、光源の発光点を円周上に等間隔に配置することにより、各発光点間の位置関係も等価となり、発光点間の温度上昇のばらつきが抑えられる。さらに、光源を回動させる手段による光源の回動に合わせて、発光点へ伝送する画像データの副走査方向における順番を並べ替える手段を備えているため、副走査方向の光源の発光点間隔が見掛け上変更され、被走査面上に形成される画像の密度が切り替えられる。
【００１３】
【発明の実施の形態】
以下、本発明に係る光ビーム走査光学装置の実施形態について添付図面を参照して説明する。
【００１４】
図１において、光ビーム走査光学装置は、概略、光源ユニット１と、シリンドリカルレンズ１１とポリゴンミラー１２と３枚のｆθレンズ１３，１４，１５及びシリンドリカルレンズ１６と、平面ミラー１７と、感光体ドラム２５とで構成されている。
【００１５】
光源ユニット１は、レーザダイオードアレイ２とコリメータレンズ５とからなる。コリメータレンズ５は軸対称形状を有しており、その対称軸を走査光学装置の光軸Ｃ上に配置している。
【００１６】
レーザダイオードアレイ２は、略円柱形状をしており、図２に示すように、９０゜の等間隔で外縁部に配置された四つの発光点２ａ，２ｂ，２ｃ，２ｄを有している。従って、各発光点２ａ〜２ｄ間の位置関係が等価となり、発光点２ａ〜２ｄ間の温度上昇のばらつきを抑えることができる。この結果、発光点２ａ〜２ｄから放射される光ビーム間の光量のばらつきが小さくなる。さらに、これらの発光点２ａ〜２ｄは、コリメータレンズ５の対称軸（光軸Ｃ）を中心とする円周Ｑ上に配置されている。この構成により、コリメータレンズ５に対して各発光点２ａ〜２ｄの位置が光学的に等価になる。従って、発光点２ａ〜２ｄから放射される光ビーム間の集光状態がばらつきにくくなり、画像の均一性を向上させることができる。
【００１７】
図１に示すように、レーザダイオードアレイ２の外周面に形成したラック２１にはステッピングモータ２３の出力ピニオン２２が噛合している。ステッピングモータ２３を正転あるいは逆転させることにより、レーザダイオードアレイ２は光軸Ｃを中心にして外周方向に回動可能である。この回動によって四つの発光点２ａ〜２ｄが光軸Ｃを中心にして移動し、発光点２ａ〜２ｄからそれぞれ放射される光ビームの感光体ドラム２５上での集光位置が調整され、画像密度の切り替えが行なわれる。
【００１８】
レーザダイオードアレイ２から放射された光ビームＢ1，Ｂ2，Ｂ3，Ｂ4は、それぞれコリメータレンズ５によって平行光（又は収束光）とされる。光ビームＢ1〜Ｂ4は、コリメータレンズ５の出射面の光軸Ｃを中心とする所定の円周上の位置から出射する。コリメータレンズ５から出射した各光ビームＢ1〜Ｂ4の収差は略等しくなり、前述のように、各光ビームＢ1〜Ｂ4の発光点２ａ〜２ｄは、コリメータレンズ５の光学面に対して光学的に等価な位置にあるため、コリメータレンズ５の各面において発生する収差の影響も同一となる。その結果、均一性の優れた画像を得ることができる。また、各光ビームＢ1〜Ｂ4は、光軸Ｃに対して等しい出射角度でコリメータレンズ５から出射する。従って、例えば図３に示すように、コリメータレンズ５の後方焦点位置の光軸Ｃ上にアパーチャ７を配置して光ビームＢ1〜Ｂ4の径を規制する場合、全ての光ビームＢ1〜Ｂ4がアパーチャ７によって常に同じ量だけケラレることになり、均一性の優れた画像を得ることができる。これらの効果は、ステッピングモータ２３を利用してレーザダイオードアレイ２を外周方向に回動して発光点２ａ〜２ｄの位置を変えても同様である。
【００１９】
コリメータレンズ５から出射された光ビームＢ1〜Ｂ4は、シリンドリカルレンズ１１を介してポリゴンミラー１２に到達する。シリンドリカルレンズ１１は光ビームＢ1〜Ｂ4をポリゴンミラー１２の反射面近傍に主走査方向に長い線状に集光する。ポリゴンミラー１２は矢印ａ方向に一定角速度で回転駆動される。光ビームＢ1〜Ｂ4はポリゴンミラー１２の回転に基づいて各反射面で等角速度に偏向走査され、ｆθレンズ１３，１４，１５及びシリンドリカルレンズ１６を透過し、平面ミラー１７で下方に反射される。その後、光ビームＢ1〜Ｂ4は感光体ドラム２５上で結像すると共に、矢印ｂ方向に走査する。即ち、この光学系では１回の走査で４ラインを同時に書き込む。
【００２０】
ｆθレンズ１３，１４，１５はポリゴンミラー１２で等角速度に偏向された光ビームＢ1〜Ｂ4を感光体ドラム２５上での主走査速度を等速に補正（歪曲収差補正）機能を有している。シリンドリカルレンズ１６は前記シリンドリカルレンズ１１と同様に副走査方向にのみパワーを有し、二つのレンズ１１，１６が協働してポリゴンミラーの面倒れ誤差を補正する。
【００２１】
感光体ドラム２５は矢印ｃ方向に一定速度で回転駆動され、ポリゴンミラー１２及びｆθレンズ１３，１４，１５による矢印ｂ方向への主走査と、感光体ドラム２５の矢印ｃ方向への副走査によって感光体ドラム２５上に画像（静電潜像）が書き込まれる。
【００２２】
以下、光ビーム走査光学装置の画像密度を４００ｄｐｉに設定した場合の、レーザダイオードアレイ２から放射される４本の光ビームＢ1〜Ｂ4の感光体ドラム２５上での集光位置調整の第１例について、図２、図４、図５を参照して説明する。
【００２３】
図２に示すように、レーザダイオードアレイ２は、発光点２ａと光軸Ｃを結ぶ線が主走査方向に対して７８．７゜になるように、ステッピングモータ２３を利用して外周方向に回動される。これにより、発光点２ａ〜２ｄが見掛け上副走査方向に不等間隔で配置されたようになり、発光点２ａ〜２ｄからそれぞれ放射された光ビームＢ1〜Ｂ4は、図４に示すように、感光体ドラム２５上で副走査方向に不等間隔で集光する。
【００２４】
すなわち、光ビームＢ1〜Ｂ4のそれぞれの感光体ドラム２５上での光ビームスポット３０ａ〜３０ｄの副走査方向の間隔は、４００ｄｐｉの画像密度から要求される光ビーム間隔ｐ（＝６３．４μｍ＝略６３．５μｍ、４００ｄｐｉ相当）を「１」としたとき、スポット３０ａと３０ｄの間隔及びスポット３０ｂと３０ｃの間隔が「２」、スポット３０ｄと３０ｂの間隔が「１」となる。
【００２５】
ところで、レーザダイオードアレイ２において、各発光点２ａ〜２ｄの位置は主走査方向に異なっている。従って、各発光点２ａ〜２ｄを同時発光する際の、各発光点２ａ〜２ｄの書き出し位置が主走査方向にずれることになる。そこで、各発光点２ａ〜２ｄの書き出し位置を揃えるためには、発光点２ｂを基準にして発光点２ａ，２ｃ，２ｄの駆動開始のタイミングを遅延させる必要がある。すなわち、図５に示すように、基準の発光点２ｂは、一走査毎に印字開始位置を決めるための垂直同期信号を検出してから時間ｔ0後に画像データに基づいて駆動開始される。発光点２ａ，２ｃ，２ｄはさらに遅延時間ｔ1，ｔ2，ｔ3後に画像データに基づいて駆動開始される。こうして、書き出し位置の揃った光ビーム走査光学装置が得られる。
【００２６】
次に、以上のように調整されたレーザダイオードアレイ２による感光体ドラム２５上への画像の書き込みについて、図６及び図７を参照して説明する。
図６に示すように、発光点２ａ〜２ｄから放射された光ビームＢ1〜Ｂ4は、感光体ドラム２５上に副走査方向に不等間隔でビームスポット３０ａ〜３０ｄを形成する。このビームスポット３０ａ〜３０ｄにて飛び越し走査させる。飛び越し走査は、複数のビームスポットにて走査ラインを画像先端側から順に一回目、二回目、…と複数同時に走査する（図１４，１６参照）のとは異なり、後の走査によって走査される走査ラインの間に位置する走査ラインを先の走査によって走査することである。すなわち、一回目の走査では、発光点２ａを点灯させないで、残りの発光点２ｂ〜２ｄを点灯させる。このとき、発光点２ｄは走査ライン１の画像データに基づいて駆動され、発光点２ｂは走査ライン２の画像データに基づいて駆動され、発光点２ｃは走査ライン４の画像データに基づいて駆動される（図７参照）。発光点２ａを点灯させなかったのは、画像先端部に走査抜け部分を発生させないためである。
【００２７】
二回目の走査では全ての発光点２ａ〜２ｄを点灯させる。このとき、発光点２ａは走査ライン３の画像データに基づいて駆動され、発光点２ｄは走査ライン５の画像データに基づいて駆動され、発光点２ｂは走査ライン６の画像データに基づいて駆動され、発光点２ｃは走査ライン８の画像データに基づいて駆動される（図７参照）。以下、三回目、四回目、…と走査が繰り返される。
【００２８】
こうして、四つの光ビームスポット３０ａ〜３０ｄは、先の走査の際にスポット３０ｃによって走査される走査ラインが、後の走査の際にスポット３０ａによって走査される走査ラインを飛び越して走査しながら、感光体ドラム２５上に画像を形成する。従って、光ビームスポット３０ａ〜３０ｄが副走査方向に不等間隔であっても、二重書きや走査抜けを発生させることなく、感光体ドラム２５上に画像を形成させることができる。このように、感光体ドラム２５上での光ビームスポット３０ａ〜３０ｄの位置を副走査方向に不等間隔にすることにより、発光点２ａ〜２ｄ間隔の設定の自由度を大きくすることができ、ポリゴンミラー１２やｆθレンズ１３〜１５の形状及び配置を制約なく最適に設定することができる。
【００２９】
ここで、レーザダイオードアレイ２の駆動回路ブロックは、図８に示すように、概略、画像データを記憶しておくためのＲＡＭ４１と、レーザダイオードアレイ２を制御するためのコントローラ４２と、発光点２ａ〜２ｄを駆動するためのドライバ４３とで構成されている。ホストコンピュータ４０から画像データを並び替えるための命令信号がインターフェース（Ｉ／Ｆ）を介してＲＡＭ４１に入力されると、ＲＡＭ４１に走査ライン１から順に並べられて記憶されていた画像データが、走査毎に図６に示す順番で取り出され、コントローラ４２に伝送される。コントローラ４２では、それぞれの画像データを遅延回路４２ａによって所定の遅延時間後に出力する。コントローラ４２から順次遅延して出力された画像データ信号はそれぞれドライバ４３に伝送され、各ドライバ４３は順次対応の発光点２ａ〜２ｄを駆動する。
【００３０】
次に、光ビーム走査光学装置の画像密度を６００ｄｐｉに切り替えた場合の、光ビームＢ1〜Ｂ4の感光体ドラム２５上での集光位置調整の第２例について、図９〜図１２を参照して説明する。
図９に示すように、レーザダイオードアレイ２は、発光点２ａと光軸Ｃを結ぶ線が主走査方向に対して６６．８゜になるように、ステッピングモータ２３を利用して外周方向に回動される。これにより、発光点２ａ〜２ｄが見掛上副走査方向に不等間隔で配置されたようになり、発光点２ａ〜２ｄからそれぞれ放射された光ビームＢ1〜Ｂ4は、図１０に示すように、感光体ドラム２５上に副走査方向に不等間隔で光ビームスポット３０ａ〜３０ｄを形成する。スポット３０ａ〜３０ｄの間隔は、６００ｄｐｉの画像密度から要求される光ビーム間隔ｐ（＝４２．４μｍ＝略４２．３μｍ、６００ｄｐｉ相当）を「１」としたとき、スポット３０ａと３０ｄの間隔及びスポット３０ｂと３０ｃの間隔が「２」、スポット３０ｄと３０ｂの間隔が「３」となる。
【００３１】
次に、以上のように調整されたレーザダイオードアレイ２による感光体ドラム２５上への画像の書き込みについて図１１を参照して説明する。
一回目の走査では発光点２ａ，２ｄを点灯させないで、発光点２ｂ，２ｃを点灯させる。このとき、発光点２ｂは走査ライン２の画像データに基づいて駆動され、発光点２ｃは走査ライン４の画像データに基づいて駆動される（図１２参照）。二回目の走査では全ての発光点２ａ〜２ｄを点灯させる。このとき、発光点２ａは走査ライン１の画像データに基づいて駆動され、発光点２ｂは走査ライン６の画像データに基づいて駆動され、発光点２ｃは走査ライン８の画像データに基づいて駆動され、発光点２ｄは走査ライン３の画像データに基づいて駆動される（図１２参照）。このような画像データの並び替えは、前述したように、図８に示したホストコンピュータ４０からの命令信号によって行なわれる。こうして、四つの光ビームスポット３０ａ〜３０ｄにて飛び越し走査させて、感光体ドラム２５上に画像を形成する。
【００３２】
さらに、図１３に示すように、三つの発光点１０２ａ，１０２ｂ，１０２ｃが１２０゜の等間隔で外縁部に配置されたレーザダイオードアレイ１０２を用いた光源装置の場合について説明する。発光点１０２ａ〜１０２ｃは光軸Ｃを中心とする円周Ｑ上に配置され、発光点１０２ａと光軸Ｃを結ぶ線が主走査方向に対して６０゜になるように設定されている。これにより、発光点１０２ａ〜１０２ｃが見掛け上副走査方向に等間隔で配置されたようになる。発光点１０２ａ，１０２ｂ，１０２ｃからそれぞれ放射された光ビームＢ1，Ｂ2，Ｂ3は、図１４に示すように、感光体ドラム２５上に副走査方向に等間隔で光ビームスポット１０３ａ，１０３ｂ，１０３ｃを形成する。すなわち、スポット１０３ａ〜１０３ｃの間隔は、所望の画像密度から要求される光ビーム間隔ｐを「１」単位としたとき、スポット１０３ａと１０３ｃ及び１０３ｃと１０３ｂの間隔が「１」となる。そして、この光ビームスポット１０３ａ〜１０３ｃにて、１回の走査で３ラインを同時に書込みながら画像先端側から順に走査することにより、感光体ドラム２５上に画像が形成される。
【００３３】
さらに、図１５に示すように、八つの発光点１０５ａ〜１０５ｈを光軸Ｃを中心とする円周Ｑ上に配置したレーザダイオードアレイ１０５を用いた光源装置の場合について説明する。各発光点１０５ａ〜１０５ｈは不等間隔で外縁部に配置されている。これにより、発光点１０５ａ〜１０５ｈが見掛け上副走査方向に等間隔で配置されたようになる。発光点１０５ａ〜１０５ｈからそれぞれ放射された光ビームは、図１６に示すように、感光体ドラム２５上に副走査方向に等間隔で光ビームスポット１０６ａ〜１０６ｈを形成する。そして、この光ビームスポット１０６ａ〜１０６ｈにて、１回の走査で８ラインを同時に書き込みながら、画像先端側から順に走査することにより、感光体ドラム２５上に画像が形成される。
【００３４】
なお、本発明に係る光源装置及び光ビーム走査光学装置は前記実施形態に限定するものではなく、その要旨の範囲内で種々に変更することができる。
光源としては、発光点が２次元配置されているものや１次元配置されているもの、あるいは、端面発光素子や表面発光素子を用いたもの等が採用される。具体的には例えば、図１７に示すように、二つの端面発光素子４０１，４０２を平行に配置し、それぞれの素子４０１，４０２が有している発光点４０１ａ，４０２ａが光軸Ｃを中心とする円周Ｑ上に配置されるようにしてもよい。また、図１８に示すように、発光点４０５ａが格子状に設けられた表面発光素子を、そのうちの四つの発光点４０５ａが光軸Ｃを中心とする円周Ｑ上に位置するように配置してもよい。
【００３５】
さらに、図１９に示すように、例えばシアン用、マゼンタ用、イエロー用及びブラック用のそれぞれの感光体５０３Ｃ，５０３Ｍ，５０３Ｙ，５０３Ｂｋを転写ベルトに対向させて一列に配置したタンデム方式の光ビーム走査光学装置にも本発明は有効に適用される。図１９において、５００は転写ベルトである。
さらに、図２０に示すように、転写ドラム５０５と、感光体ドラム５０６、この感光体ドラム５０６の周囲に配置されたシアン用、マゼンタ用、イエロー用及びブラック用のそれぞれの現像器５０７Ｃ，５０７Ｍ，５０７Ｙ，５０７Ｂｋを備えたタイプの光ビーム走査光学装置にも、本発明は有効に適用される。
【００３６】
【発明の効果】
以上の説明で明らかなように、本発明によれば、発光点から放射された各光ビームが集光レンズの出射面の光軸を略中心とする所定の円周上の位置から出射され、この集光レンズから出射した各光ビームの収差が略等しいので、均一性の高い画質が得られる。また、発光点から放射された各光ビームが集光レンズの出射面の光軸を略中心とする所定の円周上の位置から出射され、この集光レンズから出射した各光ビームは光軸に対して略等しい出射角度を有しているので、例えば集光レンズの後方焦点位置の光軸上にアパーチャを配置して各光ビームの径を規制する場合、全ての光ビームが等しくアパーチャによってケラレることになり、均一性の高い画像が得られる。
【００３７】
さらに、本発明によれば、発光点が所定の半径を有する円周上に配置され、かつ、集光レンズが前記光源の発光点の中心を通る直線に対して略軸対称形状を有しているので、集光レンズに対して各発光点の位置が光学的に等価になり、光ビーム間の集光状態のばらつきを抑えることができる。そして、光源の発光点を円周上に等間隔に配置することにより、各発光点間の位置関係も等価となり、発光点間の温度上昇のばらつきを抑えることができる。この結果、発光点２ａ〜２ｄから放射される光ビーム間の光量のばらつきを小さくすることができる。
【００３８】
また、光源を回動させる手段による光源の回動に合わせて、発光点へ伝送する画像データの副走査方向における順番を並べ替える手段とを更に備えることにより、副走査方向の光源の発光点間隔を見掛け上変更でき、被走査面上に形成される画像の密度を切り替えることができる。
【図面の簡単な説明】
【図１】本発明に係る光ビーム走査光学装置の一実施形態を示す概略構成図。
【図２】図１に示したレーザダイオードアレイの発光点の配置の第１例を示す説明図。
【図３】光ビームの径を規制する場合の説明図。
【図４】図２に示した発光点から放射された光ビームの被走査面上の光ビームスポット位置を示す説明図。
【図５】レーザダイオードアレイの各発光点の駆動タイミングチャート。
【図６】図４に示した光ビームスポットによる走査を示す説明図。
【図７】レーザダイオードアレイの各発光点に伝送される画像データを示す説明図。
【図８】レーザダイオードアレイの駆動回路ブロック図。
【図９】図１に示したレーザダイオードアレイの発光点の配置の第２例を示す説明図。
【図１０】図９に示した発光点から放射された光ビームの被走査面上の光ビームスポット位置を示す説明図。
【図１１】図９に示した光ビームスポットによる走査を示す説明図。
【図１２】レーザダイオードアレイの各発光点に伝送される画像データを示す説明図。
【図１３】別のレーザダイオードアレイの発光点の配置を示す説明図。
【図１４】図１３に示したレーザダイオードアレイによる走査を示す説明図。
【図１５】さらに別のレーザダイオードアレイの発光点の配置を示す説明図。
【図１６】図１５に示したレーザダイオードアレイによる走査を示す説明図。
【図１７】別のタイプの光源を示す正面図。
【図１８】さらに別のタイプの光源を示す正面図。
【図１９】本発明に係る光ビーム走査光学装置の別のタイプを示す概略構成図。
【図２０】本発明に係る光ビーム走査光学装置のさらに別のタイプを示す概略構成図。
【符号の説明】
１…光源ユニット
２…レーザダイオードアレイ
２ａ，２ｂ，２ｃ，２ｄ…発光点
５…コリメータレンズ
１２…ポリゴンミラー
１３，１４，１５…走査レンズ
２１…ラック
２２…ピニオン
２３…ステッピングモータ
２５…感光体ドラム
３０ａ，３０ｂ，３０ｃ，３０ｄ…光ビームスポット
１０２，１０５…レーザダイオードアレイ
１０２ａ〜１０２ｃ，１０５ａ〜１０５ｈ…発光点
１０３ａ〜１０３ｃ，１０６ａ〜１０６ｈ…光ビームスポット
４０…ホストコンピュータ
４１…ＲＡＭ
４２…コントローラ
Ｂ1，Ｂ2，Ｂ3，Ｂ4…光ビーム
【図１】
0003665868.tif 000002
【図２】
0003665868.tif 000003
【図３】
0003665868.tif 000004
【図４】
0003665868.tif 000005
【図５】
0003665868.tif 000006
【図６】
0003665868.tif 000007
【図７】
0003665868.tif 000008
【図８】
0003665868.tif 000009
【図９】
0003665868.tif 000010
【図１０】
0003665868.tif 000011
【図１１】
0003665868.tif 000012
【図１２】
0003665868.tif 000013
【図１３】
0003665868.tif 000014
【図１４】
0003665868.tif 000015
【図１５】
0003665868.tif 000016
【図１６】
0003665868.tif 000017
【図１７】
0003665868.tif 000018
【図１８】
0003665868.tif 000019
【図１９】
0003665868.tif 000020
【図２０】
0003665868.tif 000021